【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
ユーザの端末装置と印刷サーバーと印刷装置とがネットワークを介して接続された印刷システムであって、
前記端末装置は印刷対象データを前記印刷サーバーに送信する送信手段を備え、
前記印刷サーバーは、
全ての印刷対象データの印刷に関して一律に適用される設定条件である機能制限を設定する設定手段と、
前記端末装置から印刷対象データを受信する受信手段と、
前記受信手段により受信した全ての印刷対象データに対して、各印刷対象データに設定された設定条件にかかわらず、前記設定手段で設定された機能制限を一律に適用して印刷ジョブを作成する印刷ジョブ作成手段と、
前記印刷ジョブ作成手段により作成された印刷ジョブを、前記印刷装置に送信する送信手段と、
印刷指示者であるユーザの前記機能制限に対する要望を受け付ける要望受付手段と、
前記要望受付手段により受け付けられたユーザの要望に基づいて、前記設定手段で設定された機能制限をユーザ毎に変更する設定変更手段と、
を備え、
前記印刷装置は、前記印刷サーバーから受信した印刷ジョブを受信する受信手段と、
前記受信手段により受信した印刷ジョブを印刷する印刷手段と、
を備えたことを特徴とする印刷システム。
【請求項２】
前記印刷サーバーの要望受付手段は、前記印刷装置による印刷完了後に、前記ユーザの送信宛先にアンケートを送信し、該アンケートに対する回答に基づいて、前記ユーザの要望を受け付ける請求項１に記載の印刷システム。
【請求項３】
前記印刷サーバーの要望受付手段は、前記印刷装置による印刷完了後に、前記ユーザの送信宛先にアンケートのアクセス先情報を送信し、該アクセス先にアクセスしてきたユーザのアンケートに対する回答に基づいて、前記ユーザの要望を受け付ける請求項１に記載の印刷システム。
【請求項４】
前記印刷サーバーの要望受付手段は、前記印刷対象データに機能制限が適用された状態のプレビュー画像を前記ユーザの送信宛先に送信し、プレビュー画像を確認したユーザの回答に基づいて、前記ユーザの要望を受け付ける請求項１に記載の印刷システム。
【請求項５】
前記印刷サーバーの要望受付手段は、前記機能制限に応じてアンケートの内容を自動的に変更する請求項２または３に記載の印刷システム。
【請求項６】
前記印刷サーバーの設定手段は、機能制限の変更を許可する条件を設定可能であり、前記設定変更手段は、前記設定された条件内で前記機能制限を変更する請求項１〜５のいずれかに記載の印刷システム。
【請求項７】
ユーザの端末装置と印刷サーバーと印刷装置とがネットワークを介して接続された印刷システムで実行される印刷方法であって、
前記端末装置は印刷対象データを前記印刷サーバーに送信する送信ステップを実行し、
前記印刷サーバーは、
全ての印刷対象データの印刷に関して一律に適用される設定条件である機能制限を設定する設定ステップと、
前記端末装置から印刷対象データを受信する受信ステップと、
前記受信ステップにおいて受信した全ての印刷対象データに対して、各印刷対象データに設定された設定条件にかかわらず、前記設定ステップにおいて設定された機能制限を一律に適用して印刷ジョブを作成する印刷ジョブ作成ステップと、
前記印刷ジョブ作成ステップにおいて作成された印刷ジョブを、前記印刷装置に送信する送信ステップと、
印刷指示者であるユーザの前記機能制限に対する要望を受け付ける要望受付ステップと、
前記要望受付ステップにおいて受け付けられたユーザの要望に基づいて、前記設定ステップにおいて設定された機能制限をユーザ毎に変更する設定変更ステップと、
を実行し、
前記印刷装置は、前記印刷サーバーから受信した印刷ジョブを受信する受信ステップと、
前記受信ステップにおいて受信した印刷ジョブを印刷する印刷ステップと、
を実行することを特徴とする印刷方法。
【請求項８】
全ての印刷対象データの印刷に関して一律に適用される設定条件である機能制限を設定する設定手段と、
端末装置から印刷対象データを受信する受信手段と、
前記受信手段により受信した全ての印刷対象データに対して、各印刷対象データに設定された設定条件にかかわらず、前記設定手段で設定された機能制限を適用して印刷ジョブを作成する印刷ジョブ作成手段と、
前記印刷ジョブ作成手段により作成された印刷ジョブを、印刷装置に送信する送信手段と、
印刷指示者であるユーザの前記機能制限に対する要望を受け付ける要望受付手段と、
前記要望受付手段により受け付けられたユーザの要望に基づいて、前記設定手段で設定された機能制限をユーザ毎に変更する設定変更手段と、
を備えたことを特徴とする印刷サーバー。
【請求項９】
前記要望受付手段は、前記印刷装置による印刷完了後に、前記ユーザの送信宛先にアンケートを送信し、該アンケートに対する回答に基づいて、前記ユーザの要望を受け付ける請求項８に記載の印刷サーバー。
【請求項１０】
前記要望受付手段は、前記印刷装置による印刷完了後に、前記ユーザの送信宛先にアンケートのアクセス先情報を送信し、該アクセス先にアクセスしてきたユーザのアンケートに対する回答に基づいて、前記ユーザの要望を受け付ける請求項８に記載の印刷サーバー。
【請求項１１】
前記要望受付手段は、前記印刷対象データに機能制限が適用された状態のプレビュー画像を前記ユーザの送信宛先に送信し、プレビュー画像を確認したユーザの回答に基づいて、前記ユーザの要望を受け付ける請求項８に記載の印刷サーバー。
【請求項１２】
前記要望受付手段は、前記機能制限に応じてアンケートの内容を自動的に変更する請求項９または１０に記載の印刷サーバー。
【請求項１３】
前記設定手段は、機能制限の変更を許可する条件を設定可能であり、前記設定変更手段は、前記設定された条件内で前記機能制限を変更する請求項８〜１２のいずれかに記載の印刷サーバー。
【請求項１４】
全ての印刷対象データの印刷に関して一律に適用される設定条件である機能制限を設定する設定ステップと、
端末装置から印刷対象データを受信する受信ステップと、
前記受信ステップにおいて受信した全ての印刷対象データに対して、各印刷対象データに設定された設定条件にかかわらず、前記設定ステップにおいて設定された機能制限を一律に適用して印刷ジョブを作成する印刷ジョブ作成ステップと、
前記印刷ジョブ作成ステップにおいて作成された印刷ジョブを、印刷装置に送信する送信ステップと、
印刷指示者であるユーザの前記機能制限に対する要望を受け付ける要望受付ステップと、
前記要望受付ステップにおいて受け付けられたユーザの要望に基づいて、前記設定ステップにおいて設定された機能制限をユーザ毎に変更する設定変更ステップと、
を、コンピュータに実行させるための印刷プログラム。
【請求項１５】
前記要望受付ステップでは、前記印刷装置による印刷完了後に、前記ユーザの送信宛先にアンケートを送信し、該アンケートに対する回答に基づいて、前記ユーザの要望を受け付ける処理を前記コンピュータに実行させる請求項１４に記載の印刷プログラム。
【請求項１６】
前記要望受付ステップでは、前記印刷装置による印刷完了後に、前記ユーザの送信宛先にアンケートのアクセス先情報を送信し、該アクセス先にアクセスしてきたユーザのアンケートに対する回答に基づいて、前記ユーザの要望を受け付ける処理を前記コンピュータに実行させる請求項１４に記載の印刷プログラム。
【請求項１７】
前記要望受付ステップでは、前記印刷対象データに機能制限が適用された状態のプレビュー画像を前記ユーザの送信宛先に送信し、プレビュー画像を確認したユーザの回答に基づいて、前記ユーザの要望を受け付ける処理を前記コンピュータに実行させる請求項１４に記載の印刷プログラム。
【請求項１８】
前記要望受付ステップでは、前記機能制限に応じてアンケートの内容を自動的に変更する処理を前記コンピュータに実行させる請求項１５または１６に記載の印刷プログラム。
【請求項１９】
前記設定ステップでは、機能制限の変更を許可する条件を設定可能であり、前記設定変更ステップでは、前記設定された条件内で前記機能制限を変更する処理を前記コンピュータに実行させる請求項１４〜１８のいずれかに記載の印刷プログラム。
【手続補正２】
【補正対象書類名】明細書
【補正対象項目名】００１２
【補正方法】変更
【補正の内容】
【００１２】
上記課題は、以下の手段によって解決される。
（１）ユーザの端末装置と印刷サーバーと印刷装置とがネットワークを介して接続された印刷システムであって、前記端末装置は印刷対象データを前記印刷サーバーに送信する送信手段を備え、前記印刷サーバーは、全ての印刷対象データの印刷に関して一律に適用される設定条件である機能制限を設定する設定手段と、前記端末装置から印刷対象データを受信する受信手段と、前記受信手段により受信した全ての印刷対象データに対して、各印刷対象データに設定された設定条件にかかわらず、前記設定手段で設定された機能制限を一律に適用して印刷ジョブを作成する印刷ジョブ作成手段と、前記印刷ジョブ作成手段により作成された印刷ジョブを、前記印刷装置に送信する送信手段と、印刷指示者であるユーザの前記機能制限に対する要望を受け付ける要望受付手段と、前記要望受付手段により受け付けられたユーザの要望に基づいて、前記設定手段で設定された機能制限をユーザ毎に変更する設定変更手段と、を備え、前記印刷装置は、前記印刷サーバーから受信した印刷ジョブを受信する受信手段と、前記受信手段により受信した印刷ジョブを印刷する印刷手段と、を備えたことを特徴とする印刷システム。
（２）前記印刷サーバーの要望受付手段は、前記印刷装置による印刷完了後に、前記ユーザの送信宛先にアンケートを送信し、該アンケートに対する回答に基づいて、前記ユーザの要望を受け付ける前項１に記載の印刷システム。
（３）前記印刷サーバーの要望受付手段は、前記印刷装置による印刷完了後に、前記ユーザの送信宛先にアンケートのアクセス先情報を送信し、該アクセス先にアクセスしてきたユーザのアンケートに対する回答に基づいて、前記ユーザの要望を受け付ける前項１に記載の印刷システム。
（４）前記印刷サーバーの要望受付手段は、前記印刷対象データに機能制限が適用された状態のプレビュー画像を前記ユーザの送信宛先に送信し、プレビュー画像を確認したユーザの回答に基づいて、前記ユーザの要望を受け付ける前項１に記載の印刷システム。
（５）前記印刷サーバーの要望受付手段は、前記機能制限に応じてアンケートの内容を自動的に変更する前項２または３に記載の印刷システム。
（６）前記印刷サーバーの設定手段は、機能制限の変更を許可する条件を設定可能であり、前記設定変更手段は、前記設定された条件内で前記機能制限を変更する前項１〜５のいずれかに記載の印刷システム。
（７）ユーザの端末装置と印刷サーバーと印刷装置とがネットワークを介して接続された印刷システムで実行される印刷方法であって、前記端末装置は印刷対象データを前記印刷サーバーに送信する送信ステップを実行し、前記印刷サーバーは、全ての印刷対象データの印刷に関して一律に適用される設定条件である機能制限を設定する設定ステップと、前記端末装置から印刷対象データを受信する受信ステップと、前記受信ステップにおいて受信した全ての印刷対象データに対して、各印刷対象データに設定された設定条件にかかわらず、前記設定ステップにおいて設定された機能制限を一律に適用して印刷ジョブを作成する印刷ジョブ作成ステップと、前記印刷ジョブ作成ステップにおいて作成された印刷ジョブを、前記印刷装置に送信する送信ステップと、印刷指示者であるユーザの前記機能制限に対する要望を受け付ける要望受付ステップと、前記要望受付ステップにおいて受け付けられたユーザの要望に基づいて、前記設定ステップにおいて設定された機能制限をユーザ毎に変更する設定変更ステップと、を実行し、前記印刷装置は、前記印刷サーバーから受信した印刷ジョブを受信する受信ステップと、前記受信ステップにおいて受信した印刷ジョブを印刷する印刷ステップと、を実行することを特徴とする印刷方法。
（８）全ての印刷対象データの印刷に関して一律に適用される設定条件である機能制限を設定する設定手段と、端末装置から印刷対象データを受信する受信手段と、前記受信手段により受信した全ての印刷対象データに対して、各印刷対象データに設定された設定条件にかかわらず、前記設定手段で設定された機能制限を適用して印刷ジョブを作成する印刷ジョブ作成手段と、前記印刷ジョブ作成手段により作成された印刷ジョブを、印刷装置に送信する送信手段と、印刷指示者であるユーザの前記機能制限に対する要望を受け付ける要望受付手段と、前記要望受付手段により受け付けられたユーザの要望に基づいて、前記設定手段で設定された機能制限をユーザ毎に変更する設定変更手段と、を備えたことを特徴とする印刷サーバー。
（９）前記要望受付手段は、前記印刷装置による印刷完了後に、前記ユーザの送信宛先にアンケートを送信し、該アンケートに対する回答に基づいて、前記ユーザの要望を受け付ける前項８に記載の印刷サーバー。
（１０）前記要望受付手段は、前記印刷装置による印刷完了後に、前記ユーザの送信宛先にアンケートのアクセス先情報を送信し、該アクセス先にアクセスしてきたユーザのアンケートに対する回答に基づいて、前記ユーザの要望を受け付ける前項８に記載の印刷サーバー。
（１１）前記要望受付手段は、前記印刷対象データに機能制限が適用された状態のプレビュー画像を前記ユーザの送信宛先に送信し、プレビュー画像を確認したユーザの回答に基づいて、前記ユーザの要望を受け付ける前項８に記載の印刷サーバー。
（１２）前記要望受付手段は、前記機能制限に応じてアンケートの内容を自動的に変更する前項９または１０に記載の印刷サーバー。
（１３）前記設定手段は、機能制限の変更を許可する条件を設定可能であり、前記設定変更手段は、前記設定された条件内で前記機能制限を変更する前項８〜１２のいずれかに記載の印刷サーバー。
（１４）全ての印刷対象データの印刷に関して一律に適用される設定条件である機能制限を設定する設定ステップと、端末装置から印刷対象データを受信する受信ステップと、前記受信ステップにおいて受信した全ての印刷対象データに対して、各印刷対象データに設定された設定条件にかかわらず、前記設定ステップにおいて設定された機能制限を一律に適用して印刷ジョブを作成する印刷ジョブ作成ステップと、前記印刷ジョブ作成ステップにおいて作成された印刷ジョブを、印刷装置に送信する送信ステップと、印刷指示者であるユーザの前記機能制限に対する要望を受け付ける要望受付ステップと、前記要望受付ステップにおいて受け付けられたユーザの要望に基づいて、前記設定ステップにおいて設定された機能制限をユーザ毎に変更する設定変更ステップと、を、コンピュータに実行させるための印刷プログラム。
（１５）前記要望受付ステップでは、前記印刷装置による印刷完了後に、前記ユーザの送信宛先にアンケートを送信し、該アンケートに対する回答に基づいて、前記ユーザの要望を受け付ける処理を前記コンピュータに実行させる前項１４に記載の印刷プログラム。
（１６）前記要望受付ステップでは、前記印刷装置による印刷完了後に、前記ユーザの送信宛先にアンケートのアクセス先情報を送信し、該アクセス先にアクセスしてきたユーザのアンケートに対する回答に基づいて、前記ユーザの要望を受け付ける処理を前記コンピュータに実行させる前項１４に記載の印刷プログラム。
（１７）前記要望受付ステップでは、前記印刷対象データに機能制限が適用された状態のプレビュー画像を前記ユーザの送信宛先に送信し、プレビュー画像を確認したユーザの回答に基づいて、前記ユーザの要望を受け付ける処理を前記コンピュータに実行させる前項１４に記載の印刷プログラム。
（１８）前記要望受付ステップでは、前記機能制限に応じてアンケートの内容を自動的に変更する処理を前記コンピュータに実行させる前項１５または１６に記載の印刷プログラム。
（１９）前記設定ステップでは、機能制限の変更を許可する条件を設定可能であり、前記設定変更ステップでは、前記設定された条件内で前記機能制限を変更する処理を前記コンピュータに実行させる前項１４〜１８のいずれかに記載の印刷プログラム。